(57)【要約】【課題】本発明の目的とするところは、つま先板が足場板もしくは建枠に確実に固定されているか否かの確認作業を簡易に行えるものとして、作業員の作業負担を軽減するとともに、作業員の確認作業の安全性を向上させるつま先板の取付装置を提供することである。【解決手段】足場板Ａの端部上側につま先板を着脱自在に取付けるつま先板Ｔの取付装置Ｄ１において、つま先板Ｔ側面に設けられたブラケット１と、フック２とで構成され、上記ブラケット１は、ブラケット本体１ｅと、ブラケット本体１ｅの両端に設けた対向する一対の支持片１ａ，１ｂと、どちらか一方の支持片に設けた爪１ｃと、各支持片１ａ，１ｂ間に架設した支持軸６と、支持軸６に挿入したバネ５とを備え、上記フック２がフック本体２ｂとフック本体２ｂの端部に設けた引掛部２ａとからなり、フック本体２ｂの基端側が上記支持軸６に回転自在に軸支されるとともに、上記バネ５により、上記爪１ｃ方向に付勢されていることを特徴とする。【選択図】　　　　図１
2004052493.tif 000002
【特許請求の範囲】
【請求項１】
足場板の端部上側につま先板を着脱自在に取付けるつま先板の取付装置において、つま先板側面に設けられたブラケットと、フックとで構成され、上記ブラケットは、ブラケット本体と、ブラケット本体の両端に設けた対向する一対の支持片と、どちらか一方の支持片に設けた爪と、各支持片間に架設した支持軸と、支持軸に挿入したバネとを備え、上記フックがフック本体とフック本体の端部に設けた引掛部とからなり、フック本体の基端側が上記支持軸に回転自在に軸支されるとともに、上記バネにより、上記爪方向に付勢されているつま先板の取付装置。
【請求項２】
足場板の端部上側につま先板を着脱自在に取付けるつま先板の取付装置において、つま先板側面に設けられた対向する一対の支持片と、前記各支持片間に架設された支持軸と、フックからなり、前記フックがフック本体とフック本体の端部に設けた引掛部とからなり、フック本体の基端部が、上記支持軸により回転自在に軸支されていることを特徴とするつま先板の取付装置。
【請求項３】
足場板の端部上側につま先板を着脱自在に取付けるつま先板の取付装置において、つま先板側面に設けられた中空な係止ピンと、係止ピン内に挿入したバネと、同じく係止ピン内に回転自在に挿入した係止片とからなり、係止ピンは、係止ピン本体と、係止ピン本体の側部に形成した長孔とからなり、係止片は、係止片本体と、係止片本体に形成した引掛部とからなり、上記バネが係止ピンの内壁と係止片との間に挟持されているつま先板の取付装置。
【発明の詳細な説明】
【０００１】
【発明の属する技術分野】
本発明は、枠組足場の使用にされる足場板もしくは建枠に取付けられるつま先板に関し、特につま先板の固定部材の改良に関する。
【０００２】
【従来の技術】
一般に、つま先板には、作業員の安全のために枠組足場に使用される足場板や建枠からつま先板が脱落するのを防止する取付装置が取付けられている。
【０００３】
このようなつま先板の取付装置は、たとえば、図９に示すような、特開２００１−２２７１５６号公報に開示されているものが従来から知られている。
【０００４】
図９に示されたつま先板は、つま先板本体５１の略中央付近に足場板５７につま先板を固定する取付装置５８を供えており、この取付装置５８は、ブラケット本体５２と、ブラケット本体５２に軸支された支持棹５３とで構成され、支持棹５３は、支持棹本体５４と引掛片５６と把手５５とを有しており、足場板５７端部に設けた孔（図示せず）に、つま先板に設けたピン（図示せず）を差し込むとともに、支持棹５３を左右のどちらかに９０度廻すことにより、上記引掛片５６が足場板５７の下端に引っ掛かることにより、足場板５７につま先板を固定している。
【０００５】
【発明が解決しようとする課題】
しかしながら、従来のつま先板の取付装置でも、特に機能上の欠陥があるわけではないが、以下の不具合の改善が望まれている。
【０００６】
上述の図９に示す従来のつま先板の取付装置５８は、把手５５の向きで足場板５７につま先板が固定されているかを確認できるようになっているが、把手５５の向き次第で、引掛片５６が足場板５７の上側からは、きちんと固定されているかを、確認することができず、足場板５７の下側から覗き込んで確認しなくてはならない場合があり面倒である。
【０００７】
また、足場板の下側からつま先板が固定されているか否かの確認は、作業員にとって非常に危険な作業となる。
【０００８】
そこで、本発明は上記不具合を改善するために創案されたものであって、その目的とするところは、上述のつま先板が足場板もしくは建枠に確実に固定されているか否かの確認作業を簡易に行えるものとして、作業員の作業負担を軽減するとともに、作業員の確認作業の安全性を向上させるつま先板の取付装置を提供することである。
【０００９】
【課題を解決するための手段】
上記目的を達成するために、上記課題を解決するための第１の手段として、本発明のつま先板の取付装置は、足場板の端部上側につま先板を着脱自在に取付けるつま先板の取付装置において、つま先板側面に設けられたブラケットと、フックとで構成され、上記ブラケットは、ブラケット本体と、ブラケット本体の両端に設けた対向する一対の支持片と、どちらか一方の支持片に設けた爪と、各支持片間に架設した支持軸と、支持軸に挿入したバネとを備え、上記フックがフック本体とフック本体の端部に設けた引掛部とからなり、フック本体の基端側が上記支持軸に回転自在に軸支されるとともに、上記バネにより、上記爪方向に付勢されているつま先板の取付装置を提供するものである。
【００１０】
上記構成により、フックを、支持軸を中心として回転させると、ブラケットに設けた爪により、つま先板本体から突出した状態で保持されることになり、これにより、つま先板が足場板に固定されるので、フックがつま先板本体から突出しているか否かで、つま先板が足場板に固定されているか否かが確認できるので、作業員の確認作業が簡易になる。
【００１１】
さらに、上記確認は、上述の通り、つま先板側面に設けたフックの状態を目視すればよいから、足場板の下側を覗き込んで行う必要がなくなる。
【００１２】
したがって、足場板の下側を覗き込む必要がないから、作業員は上記確認作業を安全に行うことができる。
【００１３】
また、取付装置が、上記ブラケットとバネに付勢されたフックとで構成されており、つま先板を足場板に固定する際には、フックをバネ力に抗してブラケット内をスライドさせ、フックをつま先板本体から突出させ、上記爪に引掛けるだけで、固定状態を実現し、逆に、つま先板を足場板から取り外す際には、上記と同様に、フックをバネ力に抗して、ブラケット内をスライドさせ、上記爪からフックを解放して、つま先板本体に重ねるように軸支されている基端部を中心に回転させ、爪に引掛けるだけでよいから、つま先板の取付および取外しも容易である。
【００１４】
また、本発明は、上記の課題を解決するための第２の手段として、足場板の端部上側につま先板を着脱自在に取付けるつま先板の取付装置において、つま先板側面に設けられた対向する一対の支持片と、前記各支持片間に架設された支持軸と、フックからなり、前記フックがフック本体とフック本体の端部に設けた引掛部とからなり、フック本体の基端部が、上記支持軸により回転自在に軸支されていることを特徴とするつま先板の取付装置を提供するものである。
【００１５】
このように、取付装置を構成しても、上述の第１の課題解決手段と同様に、作業員の上記確認作業を容易にし、確認作業を安全に行える。
【００１６】
また、第２の課題解決手段におけるフックを、その基端部を中心にしてつま先板本体から突出する方向に回転させれば、つま先板を足場板に固定でき、逆に、つま先板に重なる方向に回転させれば、つま先板を足場板から取り外せるので、取付および取外しも容易である。
【００１７】
さらに、本発明は、上記の課題を解決するための第３の手段として、足場板の端部上側につま先板を着脱自在に取付けるつま先板の取付装置において、つま先板側面に設けられた中空な係止ピンと、係止ピン内に挿入したバネと、同じく係止ピン内に回転自在に挿入した係止片とからなり、係止ピンは、係止ピン本体と、係止ピン本体の側部に形成した長孔とからなり、係止片は、係止片本体と、係止片本体に形成した引掛部とからなり、上記バネが係止ピンの内壁と係止片との間に挟持されているつま先板の取付装置を提供するものである。
【００１８】
上記構成の第３の課題解決手段における係止ピンが、たとえば、足場板に設けた孔に入り込むと、係止ピンと係止片とによりバネが挟持されているので、係止片の引掛部がバネにより上記係止ピン内から突出する方向に付勢されることとなり、自動的に足場板に引っ掛かるので、取付作業が容易である。
【００１９】
さらに、つま先板を足場板に取付けた状態では、上述のように、係止片は、上記係止ピン内から突出しているので、それを視認するだけで、つま先板が足場板に固定されていることを確認できるから、この場合にも、上述の第１、２の課題解決手段と同様に、作業員の上記確認作業を容易にし、確認作業を安全に行える。
【００２０】
また、つま先板を足場板から取り外す際にも、係止片をバネに抗して上記係止ピン内に収めながら、足場板から係止ピンを抜くだけでよいので、取外しも容易である。
【００２１】
【発明の実施の形態】
本発明に係るつま先板の取付装置は、第１、２および４の実施の形態がある。
【００２２】
つま先板Ｔは、つま先板本体３と、ピン４と、本発明の取付装置Ｄ１とで構成され、取付装置Ｄ１は、つま先板本体３の側面に取付けられている。
【００２３】
つま先板本体３は、上下端に折り曲げ部を備えた横長の板状体であり、ピン４が、つま先板本体３の側面の２箇所に、上記下端の折り曲げ部を貫くように設けられ、その先端が足場板Ａの端部に設けられた孔（付示せず）に嵌合され、これによりつま先板本体３は足場板Ａに対し垂直に取付けられる。また、ピン４は、本実施の形態では、２箇所に設けられているが、１本以上設けていれば良い。
【００２４】
なお、つま先板本体３の上下端に折り曲げ部を備えていることにより、一枚板のものより強度面で優れている。
【００２５】
また、つま先板本体３を上記のような形状としているから、プレス加工のような簡易な加工によって、製造することができるので、加工コストも低く押えられるので、生産コストも安価である。
【００２６】
取付装置Ｄ１は、図２に示すように、ブラケット１と、フック２とから構成され、つま先板本体３の中央付近に設けられている。
【００２７】
ブラケット１は、ブラケット本体１ｅと、ブラケット本体１ｅの両端に設けた対向する一対の支持片１ａ，１ｂと、一方の支持片１ａに設けた爪１ｃ，１ｄと、支持片１ａ，１ｂに架設した支持軸６と、支持軸６に挿入したバネ５とを備えており、つま先板本体３にリベット７で固着されている。
【００２８】
なお、つま先板本体３にブラケット１を固定するのに、リベット７以外の方法を用いても良い。
【００２９】
支持片１ａ，１ｂは、ブラケット本体１ｅから、垂直に立ち上がるように設けられ、支持片１ａに設けられて爪１ｃは、ブラケット本体１ｅと水平になるように支持片１ａから延設されている。
【００３０】
また、支持片１ａの図中上部には、爪１ｄが別途設けられ、この爪１ｄはブラケット本体１ｅに対し垂直となるように支持片１ａから延設されている。
【００３１】
ブラケット１のブラケット本体１ｅと各支持片１ａ，１ｂと各爪１ｃ，１ｄを上記の構成としているので、上記各構成部分は１枚の板母材からプレス加工等により容易かつ安価に製造することが可能である。
【００３２】
支持軸６の両端は、小さな突起部（付示せず）が設けられており、ブラケット本体１ｅの支持片１ａ，１ｂから抜け落ちないように抜け止めが図られており、支持片１ａ，１ｂ間であって、支持軸６には、バネ５が上述の支持片１ｂ側に、フック２の基端側が支持片１ａ側に挿入、配置されている。
【００３３】
したがって、フック２は、幅広の板材であるフック本体２ｂと引掛部２ａとで構成されており、その基端部を、支持軸６が挿入可能なようにカールさせ、他端を折り曲げて引掛部２ａが設けられており、上述のようにその基端側が上記支持軸６に回転自在に軸支されるとともに、上記支持軸６に挿入したバネ５により、上記爪１ｃ，１ｄを設けた支持片１ａへ向けて付勢されていることとなる。
【００３４】
そして、フック２は、上記支持軸６を中心にして、回転可能であるが、バネ５により、支持片１ａ側に押し付けられているので、フック２がつま先板本体３から突出した状態、すなわち、図３に示すように、図中下方に回転した状態では、爪１ｃにフック２の基端部が当接するので、フック２の上方への回転が規制される。
【００３５】
また、フック２が逆につま先板本体３と重なる状態、すなわち、図中上方へ回転した状態においては、爪１ｄとフック２が当接して、フック２の下方への回転が規制されることとなる。
【００３６】
なお、爪１ｄは、つま先板本体３の折り曲げ部の図３中横方向の厚みのなかにフック２を収めることにより、当該つま先板Ｔの運搬時や作業時に他の建設用品等に引っ掛からないようにするために、特に設けているが、本発明の意図するところは、つま先板Ｔが足場板もしくは建枠に確実に固定されているか否かの確認作業を簡易に行えるものとして、作業員の作業負担を軽減するとともに、作業員の確認作業の安全性を向上させることであるから、爪１ｄを設けなくとも良い。
【００３７】
また、フック２が上述のように構成されるので、１枚の板材から簡単かつ安価に形成することができる。
【００３８】
したがって、つま先板の取付装置Ｄ１が、プレス加工等により簡易かつ安価に製造可能である。
【００３９】
ここで、上述の構成のつま先板Ｔが、足場板Ａに取付けられる際には、図３に示すように、上述のピン４を足場板の端部に設けた孔に挿入し、足場板Ａ上につま先板本体３を垂直状態を保ち、ブラケット１内のフック２をバネ５のバネ力に抗して、支持片１ｂ側へスライドさせ、爪１ｄからフック２を解放し、さらに、その状態を保ちつつ、フック２を下方へ、回転し足場板Ａの下端にフック２の引掛部２ａを引掛ける。
【００４０】
そうして、フック２をバネ５のバネ力で、支持片１ａ側へスライドすれば、爪１ｃによりフック２を固定することができ、これにより、つま先板Ｔが足場板Ａに固定されることとなる。
【００４１】
また、逆に足場板Ａから、つま先板Ｔを取り外す際は、フック２をブラケット１内のフック２をバネ５のバネ力に抗して、支持片１ｂ側へスライドさせ、爪１ｃからフック２を解放し、さらに、その状態を保ちつつ、フック２を上方へ回転し、すなわち、つま先板本体３側へ回転させ、フック２をバネ５のバネ力で、支持片１ａ側へスライドすれば、爪１ｄによりフック２を固定することができ、これにより、つま先板Ｔの固定が解除される。
【００４２】
そうして、つま先板本体３を足場板Ａから上方に抜けば、取り外すことが可能である。
【００４３】
このように、つま先板Ｔ側面に設けたフック２が爪１ｃにより、つま先板本体から突出した状態で保持されることにより、つま先板Ｔが足場板に固定されるので、フック２がつま先板本体３から突出しているか否かで、つま先板Ｔが足場板Ａに固定されているか否かが確認できるので、作業員の確認作業が簡易になる。
【００４４】
さらに、上記確認は、上述の通り、つま先板Ｔ側面に設けたフック２の状態を目視すればよいから、足場板Ａの下側を覗き込んで行う必要がなくなる。
【００４５】
したがって、足場板Ａの下側を覗き込む必要がないから、作業員は上記確認作業を安全に行うことができる。
【００４６】
また、取付装置Ｄ１が、上記ブラケット１とバネ５に付勢されたフック２とで構成されており、つま先板Ｔを足場板Ａに固定する際には、フック２をバネ力に抗してブラケット１内をスライドさせ、フック２をつま先板本体３から突出させ、上記爪１ｃに引掛けるだけで、固定状態を実現し、逆に、つま先板Ｔを足場板Ａから取り外す際には、上記と同様に、フック２をバネ力に抗して、ブラケット１内をスライドさせ、上記爪１ｃからフック２を解放して、つま先板本体３に重ねるように軸支されている基端部を中心に回転させ、爪１ｄに引掛けるだけでよいから、つま先板Ｔの取付取外しも容易である。
【００４７】
次に、第２の実施の形態におけるつま先板の取付装置を説明する。
【００４８】
説明の簡略化のため、第１の実施の形態と同様の部材には同じ符号付するのみとして、その詳細な説明は省略することとする。
【００４９】
第２の実施の形態におけるつま先板Ｔの取付装置Ｄ２は、図４、５に示すように、つま先板Ｔの側面に設けた一対の支持片１１ａ，１１ｂと、前記支持片１１ａ，１１ｂに架設された支持軸１２ｂと、棒状のフック１２とからなり、前記フック１２の基端部が、上記支持軸１２ｂにより回転自在に軸支されている。
【００５０】
その他のつま先板Ｔの構成は、特に図示しないが、複数のピン４を備え、かつ、つま先板本体３の形状も第１の実施の形態と同様である。
【００５１】
フック１２は、棒状のフック本体１２ｂの先端に引掛部１２ａが設けられており、フック１２が支持軸１２ｂを中心に、図５中下方に回転し、当該引掛部１２ａが足場板Ａの下端に引っ掛かることにより、足場板Ａにつま先板Ｔが固定される。このとき、ピン４が、足場板Ａの端部に設けられた孔に嵌合することは、上述の第１の実施の形態と同様である。
【００５２】
なお、支持軸１２ｂは、フック１２と一体成形されても良いし、フック１２の基端部に孔を設けて、支持軸１２ｂを挿入しても良い。また、フック１２は、生産コストや加工の簡易さから、特に棒状のものを使用しているが、フック１２を板状のもの、すなわち、第１の実施の形態と同様の形状のものを使用しても良い。
【００５３】
さらに、本実施の形態では、特につま先板本体３に留め金等を設けていないが、フック１２を使用しない場合に、つまり、つま先板本体３にフック１２を重ねている状態において、留め金等を設けてフック１２を保持させても良い。
【００５４】
また、足場板Ａから、つま先板Ｔを取り外す際には、フック１２を支持軸１２ｂを中心として、図５中上方に回転させ、固定状態を解除して、足場板Ａからつま先板Ｔを上方に抜けばよい。
【００５５】
このように、取付装置を構成しても、フック１２がつま先板Ｔから突出している状態であれば、つま先板Ｔが足場板Ａに固定されていることとなるので、上述の第１の実施の形態と同様に、作業員の上記確認作業を容易にし、確認作業を安全に行える。
【００５６】
また、第２の実施の形態にフック１２を、その支持軸１２ｂを中心にしてつま先板本体３から突出する方向に回転させれば、つま先板Ｔを足場板Ａに固定でき、逆に、つま先板Ｔに重なる方向に回転させれば、つま先板Ｔを足場板Ａから取り外せるので、取付取外しも容易である。
【００５７】
さらに、本実施の形態におけるつま先板の取付装置の構造は、簡単な構造であり、安価に製造できるので、生産コストも向上する。
【００５８】
つづいて、第３の実施の形態におけるつま先板の取付装置について、説明する。説明の簡略化のため、第１の実施の形態と同様の部材には同じ符号付するのみとして、その詳細な説明は省略することとする。
【００５９】
第３の実施の形態におけるつま先板の取付装置Ｄ３は、図６乃至図８に示すように、つま先板本体３の側面にリベット２０で固定した係止ピン１５と、バネ１６と、係止片１７とから構成される。
【００６０】
係止ピン１５は、中空な係止ピン本体１５ａと、係止ピン本体１５ａに設けた長孔１５ｂと、係止ピン本体１５ａの上端部に設けた固定孔１５ｃとから構成されており、つま先板本体３の下端の折り畳み部を貫通している。
【００６１】
上記長孔１５ｂは、つま先板本体３の下端を係止ピン１５が貫通する位置を中心に上下にある程度の長さを有するように設けられている。
【００６２】
長孔１５ｂ内には、図８に示すようにバネ１６で、長孔１５ｂ内から突出する方向に付勢された係止片１７が上記長孔１５ｃ内を貫通する支持軸１９に回転自在に軸支され、係止片１７には、その突出側の側面に引掛部１８が設けられている。図８に示すバネ１６は、板バネであるが、コイル状のバネを使用してもよい。
【００６３】
他方、係止ピン１５の上端部に設けた固定孔１５ｃをリベット２０でつま先板本体３に固定しているが、リベット以外の固定方法を利用しても良い。
【００６４】
したがって、係止片１７は、常時係止ピン１５の長孔１５ｂ内から突出した状態となっており、すなわち、その係止片１７の引掛部１８は、つま先板本体３の下端に設けた貫通孔３ａに当接した状態となっている。
【００６５】
その他のつま先板Ｔの構成は、特に図示しないが、複数のピン４を備え、かつ、つま先板本体３の形状も第１の実施の形態と同様である。
【００６６】
本実施の形態のつま先板Ｔを、足場板Ａに取付ける際には、別途足場板Ａに設けられた孔Ａ１に上記係止ピン１５を差し込むが、係止片１７は、係止ピン１５を足場板Ａの孔Ａ１に差し込む方向に向って傾斜した状態となっているので、上記孔Ａ１が、係止片１７をバネ１８のバネ力に抗して、係止ピン１５の長孔１５ｂ内に押し込むように作用し、足場板Ａの上面がつま先板Ｔの下面に当接すると、引掛部１８の図中上下長さが、足場板Ａの上面の板厚とつま先板本体３の下端の折り畳み部の板厚より、若干長いので、係止片１７が、上記長孔１５ｂ内より、バネ１６のバネ力で突出し、当該引掛部１８が足場板Ａの上面の板とつま先板の下端の折り畳み部の板を噛合して、足場板Ａとつま先板Ｔが固定される。
【００６７】
このとき、ピン４が、足場板Ａの端部に設けられた孔に嵌合することは、上述の第１の実施の形態と同様である。
【００６８】
したがって、第３の実施の形態におけるつま先板Ｔにあっては、足場板Ａの上方から、つま先板Ｔを足場板Ａに差し込むだけで、足場板Ａに自動的に固定されるので、取付作業が非常に容易となる。
【００６９】
また、取外しも、こんどは上記係止片１７を、バネ１６のバネ力に抗して係止ピン１５の長孔１５ｂ内に収めながら、足場板Ａからつま先板Ｔを抜くだけでよいので、取外し作業も容易である。
【００７０】
第３の実施の形態においても、つま先板Ｔを足場板Ａに取付けた状態では、上述のように、係止片１７は、上記係止ピン１５の長孔１５ｂ内から突出しているので、それを視認するだけで、つま先板Ｔが足場板Ａに固定されていることを確認できるから、この場合にも、上述の第１、２の実施の形態と同様に、作業員の上記確認作業を容易にし、確認作業を安全に行える。
【００７１】
なお、本実施の形態においては、係止ピン１５を中空としているが、係止ピンを無垢材として、係止片が挿入できるように溝を形成して、他の構成は同様とすれば、本願の効果を達成できることは言うまでもない。
【００７２】
【発明の効果】
請求項１の発明によれば、つま先板側面に設けたフックが爪により、つま先板本体から突出した状態で保持されることにより、つま先板が足場板に固定されるので、フックがつま先板本体から突出しているか否かで、つま先板が足場板に固定されているか否かが確認できるので、作業員の確認作業が簡易になる。
【００７３】
さらに、上記確認は、上述の通り、つま先板側面に設けたフックの状態を目視すればよいから、足場板の下側を覗き込んで行う必要がなくなる。
【００７４】
したがって、足場板の下側を覗き込む必要がないから、作業員は上記確認作業を安全に行うことができる。
【００７５】
また、取付装置が、上記ブラケットとバネに付勢されたフックとで構成されており、つま先板を足場板に固定する際には、フックをバネ力に抗してブラケット内をスライドさせ、フックをつま先板本体から突出させ、上記爪に引掛けるだけで、固定状態を実現し、逆に、つま先板を足場板から取り外す際には、上記と同様に、フックをバネ力に抗して、ブラケット内をスライドさせ、上記爪からフックを解放して、つま先板本体に重ねるように軸支されている基端部を中心に回転させ、爪に引掛けるだけでよいから、つま先板の取付および取外しも容易である。
【００７６】
したがって、つま先板の取付装置をブラケットと、フックとで構成し、ブラケットが、ブラケット本体と、ブラケット本体の両端に設けた対向する一対の支持片と、どちらか一方の支持片に設けた爪と、支持片に架設した支持軸と、支持軸に挿入したバネとで構成されているので、板材からプレス加工等により簡易かつ安価に製造可能である。
【００７７】
また、請求項２の発明によれば、取付装置をつま先板側面に設けられた対向する一対の支持片と、前記各支持片間に架設された支持軸と、フックとしたから、つま先板の側面に設けたフックがつま先板から突出している状態であれば、つま先板が足場板に固定されていることとなるので、容易に、作業員の上記確認作業を容易にし、確認作業を安全に行える。
【００７８】
また、フックを、その基端部を中心にしてつま先板本体から突出する方向に回転させれば、つま先板を足場板に固定でき、逆に、つま先板に重なる方向に回転させれば、つま先板を足場板から取り外せるので、取付および取外しも容易である。
【００７９】
さらに、本実施の形態におけるつま先板の取付装置は、つま先板側面に設けられた一対の支持片と、前記支持片に架設された支持軸と、フックとからなり、その構造は簡単であり、安価に製造できるので、生産コストも向上する。
【００８０】
そして、請求項３に記載の発明によれば、つま先板の取付装置をつま先板側面に設けられたつま先板側面に設けられた中空な係止ピンと、係止ピン内に挿入したバネと、同じく係止ピン内に回転自在に挿入した係止片とからなり、係止ピンは、係止ピン本体と、係止ピン本体の側部に形成した長孔とからなり、係止片は、係止片本体と、係止片本体に形成した引掛部とからなり、上記バネが係止ピンの内壁と係止片との間に挟持されているので、係止ピンが、たとえば、足場板に設けた孔に入り込むと、係止片の引掛部がバネにより上記係止ピンの長孔内から突出する方向に付勢されているから、自動的に足場板に引っ掛かるので、取付作業が容易である。
【００８１】
さらに、つま先板を足場板に取付けた状態では、上述のように、係止片は、上記係止ピンの長孔内から突出しているので、それを視認するだけで、つま先板が足場板に固定されていることを確認できるから、作業員の上記確認作業を容易にし、確認作業を安全に行える。
【００８２】
また、つま先板を足場板から取り外す際にも、係止片をバネに抗して上記係止ピンの長孔内に収めながら、足場板から係止ピンを抜くだけでよいので、取外しも容易である。
【図面の簡単な説明】
【図１】第１の実施の形態におけるつま先板の取付装置がつま先板に取付けられている状態の正面図である。
【図２】第１の実施の形態におけるつま先板の取付装置がつま先板に取付けられている状態の拡大正面図である。
【図３】第１の実施の形態におけるつま先板の取付装置がつま先板に取付けられている状態の側面断面図である。
【図４】第２の実施の形態におけるつま先板の取付装置がつま先板に取付けられている状態の正面図である。
【図５】第２の実施の形態におけるつま先板の取付装置がつま先板に取付けられている状態の側面図である。
【図６】第３の実施の形態におけるつま先板の取付装置がつま先板に取付けられている状態の正面図である。
【図７】第３の実施の形態におけるつま先板の取付装置がつま先板に取付けられている状態の側面図である。
【図８】第３の実施の形態におけるつま先板の取付装置の拡大断面図である。
【図９】従来のつま先板の取付装置の斜視図である。
【符号の説明】
１　　ブラケット
１ａ，１ｂ　支持片
１ｃ　爪
１ｅ　ブラケット本体
２　　フック
５　　バネ
６　　支持軸
７　　リベット
１１ａ，１１ｂ　支持片
１２　フック
１２ａ　引掛部
１２ｂ　支持軸
１５　係止ピン
１５ａ　係止ピン本体
１５ｂ　切欠
１５ｃ　固定孔
１６　　バネ
１７　　係止片
１８　　引掛部
Ａ　足場板
Ｄ１、Ｄ２、Ｄ３　取付装置
Ｔ　つま先板
【図１】
2004052493.tif 000003
【図２】
2004052493.tif 000004
【図３】
2004052493.tif 000005
【図４】
2004052493.tif 000006
【図５】
2004052493.tif 000007
【図６】
2004052493.tif 000008
【図７】
2004052493.tif 000009
【図８】
2004052493.tif 000010
【図９】
2004052493.tif 000011